(57)【要約】    【課題】従来の合否決定支援装置では、合格基準点を調整するための優先順位を算出するものではなかった。このため、必ずしも前記調整が合格者数の変化に大きく影響する合格基準点から行われる保証はなく、そうなった場合、前記調整が長引く可能性が高かった。    【解決手段】前記課題については、複数科目の平均点と合格基準点を格納する記憶手段と、採点者から前記複数科目についての合否決定支援要求を受信した場合、前記複数科目の平均点と合格基準点の差異を算出する手段と、算出した差異に基づいて前記複数科目の合格基準点を調整するための優先順位を算出する手段と、前記優先順位を表示する手段と、を備えたことを特徴とする合否決定支援装置を提供することで解決される。【選択図】    図１
2006092109.tif 000002
【特許請求の範囲】
【請求項１】
複数科目の平均点と合格基準点を格納する記憶手段と、
採点者から前記複数科目についての合否決定支援要求を受信した場合、前記複数科目の平均点と合格基準点の差異を算出する手段と、
算出した差異に基づいて前記複数科目の合格基準点を調整するための優先順位を算出する手段と、
前記優先順位を表示する手段と、
を備えたことを特徴とする合否決定支援装置。
【請求項２】
複数科目の平均点と合格基準点と標準偏差を格納する記憶手段と、
採点者から前記複数科目についての合否決定支援要求を受信した場合、前記複数科目の平均点と合格基準点の差異を算出する手段と、
算出した差異と前記標準偏差に基づいて前記複数科目の合格基準点を調整するための優先順位を算出する手段と、
前記優先順位を表示する手段と、
を備えたことを特徴とする合否決定支援装置。
【請求項３】
複数科目の平均点と合格基準点を格納する記憶手段と、
採点者から前記複数科目についての合否決定支援要求を受信した場合、前記複数科目の平均点と合格基準点の差異を算出する手段と、
算出した差異に基づいて前記複数科目の合格基準点を調整するための方向を決定する手段と、
前記方向を表示する手段と、
を備えたことを特徴とする合否決定支援装置。
【請求項４】
採点者から複数科目についての合否決定支援要求を受信した場合、複数科目の平均点と合格基準点を格納する記憶手段中の平均点と合格基準点の差異を算出するステップと、
算出した差異に基づいて前記複数科目の合格基準点を調整するための優先順位を算出するステップと、
前記優先順位を表示するステップと
を備えたことを特徴とする合否決定支援方法。
【請求項５】
採点者から複数科目についての合否決定支援要求を受信した場合、複数科目の平均点と合格基準点を格納する記憶手段中の平均点と合格基準点の差異を算出するステップと、
算出した差異に基づいて前記複数科目の合格基準点を調整するための優先順位を算出するステップと、
前記優先順位を表示するステップと
をコンピュータに実行させるための合否決定支援プログラム。
【発明の詳細な説明】
【技術分野】
【０００１】
本発明は、試験の合否を決定するための支援を行う合否決定支援装置に関するものである。
【背景技術】
【０００２】
従来の合否決定支援装置は、得点に応じた順位や標準偏差を算出することにより、試験の合否を決定するための支援を行うものだった。（例えば、特許文献１参照）
【特許文献１】特開２００２−２５１１２７
【発明の開示】
【発明が解決しようとする課題】
【０００３】
前記合否決定支援装置は、複数科目についてのそれぞれの合格基準点を調整して最終的な合否決定を支援することを想定したものではなかったため、合否決定者はそれぞれの科目の合格基準点を任意の順番で調整を行いながら最終的な合否決定を行っていた。前記の調整は、合格者数の変化に大きく影響する科目の合格基準点から行えば、早く終わる可能性が高いものである。しかし、前記の調整は合否決定者に一任されているため、必ずしも前記調整が合格者数の変化に大きく影響する科目の合格基準点から行われる保証はなく、そうなった場合、調整が長引く可能性が高かった。
【課題を解決するための手段】
【０００４】
前記課題については、複数科目の平均点と合格基準点を格納する記憶手段と、採点者から前記複数科目についての合否決定支援要求を受信した場合、前記複数科目の平均点と合格基準点の差異を算出する手段と、算出した差異に基づいて前記複数科目の合格基準点を調整するための優先順位を算出する手段と、前記優先順位を表示する手段と、を備えたことを特徴とする合否決定支援装置を提供することで解決される。
【発明の効果】
【０００５】
合否決定支援装置において、前記の課題を解決するための手段を提供することで、合否決定者が、合格者数の変化に大きく影響する科目の合格基準点から調整する可能性を高めることができるため、調整が長引く可能性を低くすることができると共に、前記複数科目の合格基準点をバランス良く調整できると言う効果がある。
【発明を実施するための最良の形態】
【０００６】
以下に、本発明による合否決定支援援置の実施形態を図１から図５により詳細に説明する。図１は本発明の実施形態を実現するためのシステム構成図である。同図において、合否決定者端末１０１と合否決定支援装置１０５は、プロセッサとメモリを備えるコンピュータである。
【０００７】
合否決定者端末１０１は、合否決定者がネットワーク１０３を通じて接続した合否決定支援装置１０５から提供される試験の合否を決定するための支援サービスに応答するためのものであり、図示していないが、キーボード、マウスなどの入力装置を備えるものである。また、合否決定支援装置１０５は、ネットワーク１０３を通じて合否決定者端末１０１に対して試験の合否を決定するための支援サービスを提供するためのものであり、前記支援サービスを提供するための構成要素として受験者ＤＢ１０７と合格基準点ＤＢ１０９と合否支援ＤＢ１１０と合否決定支援プログラム１１１を備えるものである。
【０００８】
受験者ＤＢ１０７は、受験番号と科目の得点と合否結果を格納するものである。合格基準点ＤＢ１０９は、科目の合格基準点を格納するものである。合否支援ＤＢ１１０は、科目と平均点と標準偏差と平均点と合格基準点の差異と調整優先度と調整優先順位を格納するものである。合否決定支援プログラム１１１は、合否決定者者からの合否決定支援要求に基づいて試験の合否を決定するための支援サービスを提供するものである。
【０００９】
図２は合否決定支援プログラム１１１の動作を説明するためのフローチャートである。図３は受験者ＤＢ１０７と合格基準点ＤＢ１０９と合否支援ＤＢ１１０の構成を具体的な内容を開示するものである。
【００１０】
図３のＴ３０１は、受験者ＤＢ１０７の例であり、受験番号「１」と国語の得点「６０」と数学の得点「６３」と英語の得点「６５」と合否結果「１」などの情報が格納されている。また、上記の合否結果は、「１」が合格、「０」が不合格を表すものである。
【００１１】
図３のＴ３０３は、合格基準点変更前の合格基準点ＤＢ１０９の例であり、国語の合格基準点「６０」と数学の合格基準点「６０」と英語の合格基準点「６０」が格納されている。図３のＴ３０４は、合格基準点変更後の合格基準点ＤＢ１０９の例であり、国語の合格基準点「６０」と数学の合格基準点「６０」と変更された英語の合格基準点「６６」が格納されている。
【００１２】
図３のＴ３０５は、合格基準点変更前の合否支援ＤＢ１１０の例であり、科目「国語」と平均点「５７．６」と合格基準点との差異「２．４」と調整優先順位「３」などが格納されている。図３のＴ３０６は、合格基準点変更後の合否支援ＤＢ１１０の例であり、科目「国語」と平均点「５７．６」と合格基準点との差異「２．４」と英語の合格基準点を変更したことにより変化した調整優先順位「２」などが格納されている。
【００１３】
図４と図５は合否決定者が合否決定支援装置１０５から提供される試験の合否を決定するための支援サービスに応答する際の合否決定者端末１０１の画面例である。図４のＵ４０１は、合否決定支援装置１０５から初めに提供された合否支援情報を表示する際の合否決定者端末１０１の画面例である。図４のＵ４０３は、合否決定支援装置１０５から合格基準点調整後に提供された合否支援情報を表示する際の合否決定者端末１０１の画面例である。図５のＵ５０１は、Ｕ４０１中の英語のグラフを拡大したものである。
【００１４】
ここで図２により、合否決定支援装置１０５にインストールされている試験の合否を決定するための支援サービスを提供するための合否決定支援プログラム１１７の動作を説明する。合否決定支援プログラム１１７は、Ｓ２０１で合否決定者端末１０１からの合否決定支援要求を受信する。前記合否決定支援要求は、図示していないが合否決定者端末１０１の識別情報と合否決定支援の対象識別情報を含むものである。
【００１５】
Ｓ２０３では、合否決定者端末１０１から受信した合否決定支援対象となる試験の受験者の得点が格納された受験者ＤＢ１０７と合否決定支援対象となる試験の合格基準点が格納された合格基準点ＤＢ１０９に基づいて受験者ＤＢ１０７中の全ての科目得点が前記合格基準点に達した受験者を抽出する。
【００１６】
Ｓ２０５では、受験者ＤＢ１０７中の各科目の平均点を算出し、その平均点を合否支援ＤＢ１１０に格納する。Ｓ２０９では、合否支援ＤＢ１１０中の各科目の平均点と合格基準点ＤＢ１０９中の各科目の合格基準点との差異の絶対値を算出し、その差異の絶対値を合否支援ＤＢ１１０に格納する。
【００１７】
Ｓ２１３では、合否支援ＤＢ１１０中の各科目の平均点と合格基準点ＤＢ１０９中の各科目の合格基準点との差異の正負符号から合格基準点の調整方向を決定する。前記差異が正の場合は、前記各科目の平均点が、前記合格基準点が前記各科目の平均点を上回ったためであり、前記合格基準点を前記科目の平均点に近づけるための調整方向として右方向を決定する。前記差異が負の場合は、前記各科目の平均点が、前記各科目の平均点が前記合格基準点を上回ったためであり、前記合格基準点を前記科目の平均点に近づけるための調整方向として左方向を決定する。
【００１８】
Ｓ２１４では、前記差異の絶対値の大きさに基づいて前記差異の絶対値の大きいものを調整優先度の高いものとして調整優先順位の決定し、その調整優先順位を合否支援ＤＢ１１０に格納する。
【００１９】
図３のＴ３０５は、合格基準点の変更要求を受信する前の合否支援ＤＢ１１０の例であり、各科目についての平均点と合格基準点の差異が国語「２．４」、数学「５．１」、英語「６．４」であったため、調整優先順位が英語、数学、国語の順になったことを表しているものである。
【００２０】
なお、調整優先順位の決定方法は、前記差異の絶対値の大きさのみに基づくものでなくても良く、例えば、前記差異の絶対値と図示していないが合否支援ＤＢ１１０に格納する前記差異の絶対値に対応する科目の標準偏差を考慮した任意の値の大きさにより決定するものでも良い。上記の標準偏差は、Ｔ３０１の科目得点の平均値と各科目得点の差を２乗した値を足して科目得点の数で割り平方根をとった値である。
【００２１】
Ｓ２１５では、前記調整優先順位を含んだ合否情報を合否決定者端末１０１に表示させる。前記調整優先順位以外の前記合否情報は、Ｓ２０１からＳ２１１の間で算出した合格者数や科目の平均点、合格基準点ＤＢ１０９中の合格基準点などである。
【００２２】
図４のＵ４０１は、合否決定支援装置１０５から初めに提供された合否支援情報を表示する際の合否決定者端末１０１の画面例であり、調整優先順位が、英語、数学、国語であることを表しているものであり、国語、数学の調整方向が左、英語の調整方向が右であることを表しているものである。
【００２３】
Ｓ２１７では、合否決定者端末１０１からの合格基準点の変更要求を受信したかどうかの判定する。合格基準点の変更要求は、合否決定者が、Ｕ４０１画面例中の合格基準点の棒を移動させるか、または合格基準点の数値を入力することにより合否決定支援装置１０５が受信するものである。
【００２４】
図３のＴ３０４は、英語の合格基準点を「６６」にする要求を受信した場合の合格基準点ＤＢ１０９の例であり、英語の合格基準点が「６６」に更新されたことを表している。
【００２５】
Ｓ２１７の判定の結果、前記合格基準点の変更要求を受信した場合、再度Ｓ２０３からＳ２１５の処理を行い、変更された合格基準点に基づく合否支援情報の表示する。図４のＵ４０３は、合否決定支援装置１０５から合格基準点調整後に提供された合否支援情報を表示する際の合否決定者端末１０１の画面例であり、前記合格基準点の変更に伴い調整優先順位が、数学、国語、英語に更新されたことであり、国語、数学、英語共に調整方向が左であることを表しているものである。
【００２６】
図３のＴ３０６は、英語の合格基準点を「６６」にする要求を受信した場合の合否支援ＤＢ１１０の例であり、各科目についての平均点と合格基準点の差異と調整優先順位として国語の調整優先順位が「３→２」に、数学の調整優先順位が「２→１」に、英語の平均点と合格基準点の差異が「６．４→０．４」、調整優先順位が「１→３」に更新されたことを表しているものである。
【００２７】
Ｓ２１７の判定の結果、前記合格基準点の変更要求を受信していない場合、Ｓ２１９で合否決定者端末１０１からの合否決定支援の終了要求を受信したかどうかの判定する。
【００２８】
Ｓ２１９の判定の結果、合否決定支援の終了要求を受信した場合、処理を終了する。Ｓ２１９の判定の結果、合否決定支援の終了要求を受信していない場合、再度Ｓ２１５の処理を行う。
（付記１）（１）
複数科目の平均点と合格基準点を格納する記憶手段と、
採点者から前記複数科目についての合否決定支援要求を受信した場合、前記複数科目の平均点と合格基準点の差異を算出する手段と、
算出した差異に基づいて前記複数科目の合格基準点を調整するための優先順位を算出する手段と、
前記優先順位を表示する手段と、
を備えたことを特徴とする合否決定支援装置。
（付記２）（２）
複数科目の平均点と合格基準点と標準偏差を格納する記憶手段と、
採点者から前記複数科目についての合否決定支援要求を受信した場合、前記複数科目の平均点と合格基準点の差異を算出する手段と、
算出した差異と前記標準偏差に基づいて前記複数科目の合格基準点を調整するための優先順位を算出する手段と、
前記優先順位を表示する手段と、
を備えたことを特徴とする合否決定支援装置。
（付記３）（３）
複数科目の平均点と合格基準点を格納する記憶手段と、
採点者から前記複数科目についての合否決定支援要求を受信した場合、前記複数科目の平均点と合格基準点の差異を算出する手段と、
算出した差異に基づいて前記複数科目の合格基準点を調整するための方向を決定する手段と、
前記方向を表示する手段と、
を備えたことを特徴とする合否決定支援装置。
（付記４）（４）
採点者から複数科目についての合否決定支援要求を受信した場合、複数科目の平均点と合格基準点を格納する記憶手段中の平均点と合格基準点の差異を算出するステップと、
算出した差異に基づいて前記複数科目の合格基準点を調整するための優先順位を算出するステップと、
前記優先順位を表示するステップと
を備えたことを特徴とする合否決定支援方法。
（付記５）
採点者から複数科目についての合否決定支援要求を受信した場合、複数科目の平均点と合格基準点と標準偏差を格納する記憶手段中の平均点と合格基準点の差異を算出するステップと、
算出した差異と前記標準偏差に基づいて前記複数科目の合格基準点を調整するための優先順位を算出するステップと、
前記優先順位を表示するステップと
を備えたことを特徴とする合否決定支援方法。
（付記６）（５）
採点者から複数科目についての合否決定支援要求を受信した場合、複数科目の平均点と合格基準点を格納する記憶手段中の平均点と合格基準点の差異を算出するステップと、
算出した差異に基づいて前記複数科目の合格基準点を調整するための優先順位を算出するステップと、
前記優先順位を表示するステップと
をコンピュータに実行させるための合否決定支援プログラム。
（付記７）
採点者から複数科目についての合否決定支援要求を受信した場合、複数科目の平均点と合格基準点と標準偏差を格納する記憶手段中の平均点と合格基準点の差異を算出するステップと、
算出した差異と前記標準偏差に基づいて前記複数科目の合格基準点を調整するための優先順位を算出するステップと、
前記優先順位を表示するステップと
をコンピュータに実行させるための合否決定支援プログラム。
（付記８）
採点者から複数の科目についての合否決定支援要求を受信した場合、
複数の科目の平均点と合格基準点を格納する記憶手段中の平均点と合格基準点の差異を算出するステップと、
算出した差異に基づいて前記複数科目の合格基準点を調整するための優先順位を算出するステップと、
前記優先順位を表示するステップと
をコンピュータに実行させるためのプログラムを格納したコンピュータ読み取り可能な記録媒体。
（付記９）
採点者から複数の科目についての合否決定支援要求を受信した場合、
複数の科目の平均点と合格基準点と標準偏差を格納する記憶手段中の平均点と合格基準点の差異を算出するステップと、
算出した差異と前記標準偏差に基づいて前記複数科目の合格基準点を調整するための優先順位を算出するステップと、
前記優先順位を表示するステップと
をコンピュータに実行させるためのプログラムを格納したコンピュータ読み取り可能な記録媒体。
【図面の簡単な説明】
【００２９】
【図１】本発明の実施形態例のシステム構成を説明する図。
【図２】本発明の実施形態例の合否決定支援プログラムを説明する図。
【図３】本発明の実施形態例の受験者ＤＢ、合格基準点ＤＢ、合否支援ＤＢを説明する図。
【図４】本発明の実施形態例の合否決定者端末画面例。（その１）
【図５】本発明の実施形態例の合否決定者端末画面例。（その２）
【符号の説明】
【００３０】
１０１  本発明の実施形態の合否決定者端末
１０３  本発明の実施形態のネットワーク
１０５  本発明の実施形態の合否決定支援装置
１０７  本発明の実施形態の受験者ＤＢ
１０９  本発明の実施形態の合格基準点ＤＢ
１１０  本発明の実施形態の合否支援ＤＢ
１１１  本発明の実施形態の合否決定支援プログラム
【図１】
2006092109.tif 000003
【図２】
2006092109.tif 000004
【図３】
2006092109.tif 000005
【図４】
2006092109.tif 000006
【図５】
2006092109.tif 000007